(57)【特許請求の範囲】
【請求項１】
インキ収容筒の先端にボールを回転自在に抱持したボールペンチップを具備したインキ収容筒内に、香料を含んでなるインキ組成物を充填したボールペンを、ケース内に複数本収容した筆記具セットであって、前記ボールペンの少なくとも一本が、インキ組成物に白色顔料を含んでなり、白色顔料を含んでなるボールペンの筆跡の色、香りと、他のボールペンの筆跡の色、香りが異なり、前記ボールペンチップのボールの縦軸方向の移動量が２５〜５０μｍであり、前記ボールペンの１００ｍあたりのインキ消費量が８０〜５００ｍｇであり、２０℃環境下、剪断速度１．９２ｓｅｃ-1で、前記インキ組成物のインキ粘度が１０００〜５０００ｍＰａ・ｓであることを特徴とする筆記具セット。
【請求項２】
前記インキ収容筒内にインキ追従体を充填し、インキ追従体の基油がポリブテン、シリコ−ン、鉱物油の中から選択することを特徴とする請求項１に記載の筆記具セット。
【請求項３】
前記白色顔料が酸化チタンであること特徴とする請求項１または２に記載の筆記具セット。
【請求項４】
前記酸化チタンの平均粒子径が０．０１〜１．０μｍであること特徴とする請求項３に記載の筆記具セット。
【請求項５】
前記白色顔料を含んでなるボールペンの酸化チタンの平均粒子径をＡμｍ、前記他のボールペンの顔料の平均粒子径をＢμｍとした場合、Ａ／Ｂ＜３．０の関係であること特徴とする請求項４に記載の筆記具セット。
【発明の詳細な説明】
【技術分野】
【０００１】
本発明は、筆記具セットに関し、さらに詳細としては、インキ収容筒内に香料を含んでなるインキ組成物を充填した筆記具をケース内に複数本収容した筆記具セットに関するものである。
【背景技術】
【０００２】
従来より、香料を含んだ筆記具および筆記具用インキ組成物としては、特許文献１として、保存性を向上した香り付きボールペンとした、特開２０００−２４８２２１号公報「ボールペン」や、特許文献２として、美麗性や光沢性に富み、経時的にも安定した、金属光沢を有するボールペンとした、特開２００１−２９７３号公報「香り付き水性ボ−ルペン用インキ」が開示されている。
【先行技術文献】
【特許文献】
【０００３】
【特許文献１】「特開２０００−２４８２２１号公報」
【特許文献２】「特開２００１−２９７３号公報」
【発明の概要】
【発明が解決しようとする課題】
【０００４】
これらの香料を含んだ筆記具および筆記具用インキ組成物として、特許文献１は、インキ組成物中にラベンダー、ペパーミント、レモンなどの香料を含んでおり、筆記した筆跡より、ラベンダー、ペパーミント、レモンなどのその香りを楽しむことを目的とした筆記具としており、また、特許文献２は、同様にインキ組成物中に香料を含んだもので、インキの色彩から連想される同様な色彩を有した物体の香りを楽しむことを目的とした筆記具としたものであった。
【０００５】
上記のように、香料の香りを、そのまま楽しむことを目的とした筆記具は、従来より用いられているが、香料を含んだ筆記具を複数本用いることで、多種の色彩や香りなどを楽しむ筆記具セットは、存在していなかった。
【０００６】
本発明は、多種の色や香りなどを楽しむことができる筆記具セットを提供することである。
【課題を解決するための手段】
【０００７】
本発明は、上記課題を解決するために、
「１．インキ収容筒内に、香料を含んでなるインキ組成物を充填した筆記具を、ケース内に複数本収容した筆記具セットであって、前記筆記具の少なくとも一本が、インキ組成物に白色顔料を含んでなることを特徴とする筆記具セット。
２．前記インキ組成物に白色顔料を含んでなる筆記具の筆跡の色と、他の筆記具の筆跡の色が、異なることを特徴とする第１項に記載の筆記具セット。
３．前記インキ組成物に白色顔料を含んでなる筆記具の筆跡の香りと、他の筆記具の筆跡の香りが、異なることを特徴とする第１項または第２項に記載の筆記具セット。
４．前記白色顔料が酸化チタンであること特徴とする第１項ないし第３項のいずれか１項に記載の筆記具セット。
５．前記酸化チタンの平均粒子径が０．０１〜１．０μｍであること特徴とする第４項に記載の筆記具セット。」とする。
【発明の効果】
【０００８】
本発明は、インキ収容筒内に香料を含んでなるインキ組成物を充填した筆記具を複数本収容した筆記具セットを用いて、多種の色や香りなどを楽しむことができる筆記具セットを得ることができた。
【発明を実施するための最良の形態】
【０００９】
本発明の特徴は、インキ収容筒内に、香料を含んでなるインキ組成物を充填した筆記具を、ケース内に複数本収容した筆記具セットであって、前記筆記具の少なくとも一本が、インキ組成物に白色顔料を含んでなることを特徴とする筆記具セットとする。
【００１０】
本発明の筆記具セットは、香料を含んだ筆記具とし、少なくとも一本が、インキ組成物に白色顔料を含んでなる筆記具を収容して、少なくとも白色系インキとした筆記具を用いることを必須とする。これは、筆記具セットのケース内の他の筆記具で、予め記録媒体上に筆記して（下書き）、該記録媒体上にすでにある筆跡の上に、白色系インキでなぞり書き（上書き）を行った場合、白色系インキの筆記具の筆跡と、異なるインキ色の他の筆記具の筆跡とによって、どちらの筆跡とも異なる色が得られやすいため、インキ組成物に白色顔料を含んでなる筆記具を必要とする。
ここで、「他の筆記具」とは、「インキ組成物に白色顔料を含んでなる筆記具とは異なる他の筆記具」のことを意味する。
【００１１】
また、前記他の筆記具（インキ組成物に白色顔料を含んでなる筆記具とは異なる他の筆記具）は、白色顔料を含まない筆記具をケース内に、収容した筆記具セットとすることが好ましい。前記白色顔料を含まない筆記具は、白色系インキとは異なるインキ色を用いるが、該白色系インキとは異なるインキ色の筆記具で、予め記録媒体上に筆記して（下書き）、該記録媒体上にすでにある前記白色系インキとは異なる筆跡の上に、白色系インキでなぞり書き（上書き）を行った場合、より異なる多種の色の筆跡が得られやすく、楽しむことができるため、好ましい。
【００１２】
さらに、白色顔料を含んでなる筆記具の筆跡は、他の筆記具の筆跡と、異なる香りとすることが好ましい。これは、白色系インキとは異なるインキ色の筆記具で予め記録媒体上に筆記して（下書き）、該記録媒体上にすでにある白色系インキとは異なる香りの筆跡の上に、白色系インキでなぞり書き（上書き）を行った場合、各筆記具インキの筆跡の香りが混ざり合い、異なる香りを楽しむことができるため好ましい。
【００１３】
具体的には、白色インキには、ミルクの香りの香料、ブラウン色インキには、コーヒーの香りの香料、ピンク色には、イチゴの香りの香料とした場合、ブラウン色インキに白色インキをなぞり書きすると、カフェオレ（コーヒーミルク）の色や香りになり、ピンク色インキに白色インキをなぞり書きすると、イチゴミルクの色や香りになり、筆跡の色を変化させるだけではなく、香りも変化することができ、色々と組み合わせることで、多種の色や香りを楽しむ筆記具セットとすることができる。
このように、筆跡の色から想像できるような香りになるようにすることで、色によって香りが識別することができるため好ましい。
【００１４】
本発明で用いる筆記具セットについては、多種の色や香りを楽しめるようにするため、個々に色および香りの異なる種類の筆記具をケース内に複数本収容する筆記具セットにすることが好ましいが、３種類以上の異なる色および香りの筆記具を収容する筆記具セットにすることが好ましく、より多種の色や香りを楽しむには、６種類以上の異なる色および香りの筆記具を収容する筆記具セットにすることが好ましい。
さらに、より多種の色や香りを楽しむようにするため、全て色および香りの異なる筆記具を収容した筆記具セットとすることが好ましい。
【００１５】
本発明では、インキ組成物中に含まれる香料については、筆記した筆跡形成時に香りを放つためのものである。また、香料の形態には、水溶性香料、油溶性香料、乳化香料などが挙げられる。
香料としては、グレープフルーツ油、オレンジ油、レモン油、ライム油、ジャスミン油、ペパーミント油、ローズマリー油、ナツメッグ油、カツシア油、ラベンダー油、ヒノキ油、ヒバ油、フェンネル油等の精油類、ヘキシルアルコール、フェニルエチルアルコール（ローズＰ）、フルフリルアルコール、シクロテン、ゲラニオール等のアルコール類、ヘプタナール、オクタナール、ドデカナール、テトラデカナール、ヘキサデカナール、オクタデカナール、ベンズアルデヒド、フルフラール等のアルデヒド類、エチルアセトアセテート、プロピルアセテート、アミルアセテート、リナリルアセテート、ベンジルアセテート、ジメチルベンジルカルビニルアセテート、ベンジルプロピオネート等のエステル類、ヌートカトン、エチルピラジン、レモンターペンレス、オレンジターペンレス、ワニリン、エチルワニリン、フルフリルメルカプタン、ボーネオール及びヘリオトロープ等の芳香族化合物、α−ピネン、β−ピネン、リモネン等のテルペン油類を例示できる。さらに、前記香料を組み合わせた調合香料、例えば、バナナ香料、ブルーベリー香料、バニラ香料、ミント香料、アップル香料、ピーチ香料、メロン香料、パイナップル香料、グレープ香料、ライラック香料、ジャスミン香料、イチゴ香料、ミルク香料、抹茶香料、マンゴー香料、サイダー香料などの調合香料を使用することもできる。これらの香料は、単独又は２種以上組み合わせて使用してもかまわない。
【００１６】
また、前記香料の含有量について、インキ組成物全量に対し、０．０１〜１０．０質量％が好ましい。これは、前記香料の含有量が、０．０１質量％未満だと、筆跡において、香りが十分に得られづらく、１０．０質量％を越えると、インキ中の他成分に影響が出やすいためである。さらに、香りの持続性やインキ経時安定性を考慮すれば、１．０〜７．０質量％が好ましく、より考慮すれば、２．０〜６．０質量％が好ましい。
【００１７】
本発明で用いる白色顔料については、隠蔽性がある白色系の着色剤として用いられるが、具体的には、酸化チタン、酸化亜鉛、硫化亜鉛、炭酸カルシウムなどの無機顔料や、中空樹脂、偏平樹脂、球状樹脂などの白色樹脂粒子など挙げられるが、筆記直後より、筆跡視認性が良好である酸化チタンを用いることが好ましい。
【００１８】
酸化チタンについては、平均粒子径が０．０１〜１．０μｍのものが好ましく、平均粒子径が０．０１μｍよりも小さいと十分な筆跡隠蔽性が得られづらい傾向があり、１．０μｍよりも大きいと、ペン先でインキ中の酸化チタンが詰まりやすく、筆記不良の原因になりやすい傾向があるためである。よりその傾向を考慮すれば、平均粒子径が０．１〜０．７μｍであることが好ましい。特に、本発明のように、筆記具セットとして、予め記録媒体上に筆記した筆跡（下書き）を、酸化チタンを含んだ筆記具で、なぞり書き（上書き）をする時に、下書きした筆跡が、隠蔽して見えづらくならないようにするためには、平均粒子径が０．１〜０．４μｍとすることが好ましい。
また、顔料の平均粒子径は、レーザー回折法（ＭＩＣＲＯＴＲＡＣ  ９３２０−Ｘ１００  Ｈｏｎｅｙｗｅｌｌ製）による体積基準法によって求められ、レーザー回折法で測定される粒度分布の体積累積５０％時の粒子径（Ｄ５０）により測定することができる。
【００１９】
酸化チタンについては、ルチル型・アナターゼ型等の各種酸化チタンがあるが、界面活性剤などで予め分散処理した酸化チタン分散体としたものを用いても良い。具体的には、ＬＩＯＦＡＳＴ  ＷＨＩＴＥ  Ｈ２０１、ＥＭ  ＷＨＩＴＥ  Ｈ、ＥＭＷＨＩＴＥ  ＦＸ９０４８（以上、東洋インキ（株）社製）、ポルックスホワイトＰＣ−ＣＲ（住友カラー（株）社製）、ＦＵＪＩＳＰ  ＷＨＩＴＥ  １１、同１０１１、同１０３６、同１０５１（以上、富士色素（株）社製）などの酸化チタン水性分散体を使用すれば、生産面での分散工程の省略ができ、簡便にインキ化できるので、好ましい。その中でも、酸化チタンとしては、ドライアップ性能の向上や分散安定性を考慮すれば、Ｃ．Ｉ．ピグメントホワイト６が好ましい。
【００２０】
白色樹脂粒子については、中空樹脂粒子としては、中空樹脂粒子の外殻のポリマー層としては、アクリル樹脂、スチレン−アクリル樹脂、架橋型スチレン−アクリル樹脂等のアクリル系樹脂、ウレタン系樹脂、マレイン系樹脂などが挙げられる。また、上記中空樹脂粒子は、単独又は２種以上組み合わせて混合して使用してもよい。具体的には、アクリル系樹脂としては、ＭＨ５０５５、ＭＨ５０５５Ａ、ＭＨ８０５５（日本ゼオン（株）社製）、ＳＸ８６３（Ａ）、ＳＸ８６４（Ｂ）、ＳＸ８６５（Ｂ）、ＳＸ８６６（Ａ）、ＳＸ８６６（Ｂ）、ＳＸ８７８２（Ｄ）、ＡＥ８６５（ＪＳＲ（株）社製）、ロイペークＯＰ−６２、同ＯＰ−８４Ｊ、同ＯＰ−９１、ＨＰ１０５５、ローペイクウルトラ（ローム  アンドハース  ジャパン（株）社製）等や、それらを加工した中空樹脂粒子を用いたものが挙げられ、これらの白色顔料は、単独又は２種以上組み合わせて使用してもかまわない。
【００２１】
また、白色顔料の含有量は、インキ組成物全量に対し、０．１〜３５．０質量％が好ましい。これは、０．１質量％未満だと十分な筆跡隠蔽性が得られず、３５．０質量％を越えると、筆記具セットとして、予め記録媒体上に筆記した筆跡（下書き）を、白色顔料を含んだ筆記具で、なぞり書き（上書き）をする時に、下書きした筆跡が、隠蔽して見えづらくなるためである。さらに、ドライアップ性能の向上やボール座の摩耗と筆跡隠蔽性を考慮すれば、５．０質量％〜３０．０質量％がより好ましく、より考慮すれば、１０．０〜２５．０質量％がより好ましい。
【００２２】
また、顔料を分散安定するために、剪断減粘性付与剤を用いることが好ましい。剪断減粘性付与剤としては、架橋型アクリル酸重合体、キサンタンガム、ウェランガム、サクシノグリカン、グアーガム、ローカストビーンガム、λ−カラギーナン、セルロース誘導体、ダイユータンガム等が挙げられ、これらを含有することで、インキ中で三次元網目構造を形成することで、白色顔料、その他顔料の分散を安定することが可能である。これらの剪断減粘性付与剤は、単独又は２種以上組み合わせて使用してもかまわない。
【００２３】
剪断減粘性付与剤の中でも、分散安定性を考慮すれば、キサンタンガム、サクシノグリカンを用いることが好ましい。特に、ドライアップ性能や分散安定性を考慮すれば、サクシノグリカンを用いることが好ましい、これはサクシノグリカンは、他の剪断減粘付与剤よりも、静止時のインキ粘度を高くし、筆記時のインキ粘度を低くすることが可能で、比較的少量で、粘度調整し易いためである。そのため、剪断減粘性付与剤の固形分量をより少なくでき、ドライアップ性能に有利になりやすい。サクシノグリカンとしては、メイポリ（三晶（株））等が例示できる。
【００２４】
サクシノグリカンの含有量は、インキ組成物全量に対して、０．１質量％未満だと、粘度調整の効果が少なく、０．５質量を超えると、所望のインキ粘度や、書き出し性能が得られづらい。そのため、０．１質量％〜０．５質量％が好ましい。より考慮すれば、０．１〜０．３５質量％が好ましい。
【００２５】
インキ粘度については、２０℃環境下、剪断速度１．９２ｓｅｃ-1で、インキ粘度は、１０００〜５０００ｍＰａ・ｓが好ましい、これは、前記インキ粘度が１０００ｍＰａ・ｓ未満だと、インキ粘度が低過ぎて、顔料の分散性への影響が出やすく、さらにインキ漏れを抑制しづらく、５０００ｍＰａ・ｓを越えると、インキ吐出量が少なく、十分な香りが得られにくく、ドライアップ性能、ボール座の摩耗抑制、書き味が劣りやすいためである。より考慮すれば、１２００〜３５００ｍＰａ・ｓが好ましい。
【００２６】
本発明に用いる着色剤については、前記白色顔料を含んでなる筆記具については、白色顔料以外の下記に示す着色剤を併用しても良く、また、前記他の筆記具については、下記に示す着色剤を用いても良い。着色剤の具体的例としては、無機、有機、加工顔料などの顔料を用いても良く、より具体的にはカーボンブラック、アニリンブラック、群青、黄鉛、酸化鉄、フタロシアニン系、アゾ系、キナクリドン系、キノフタロン系、スレン系、トリフェニルメタン系、ペリノン系、ペリレン系、ギオキサジン系、パール顔料、蛍光顔料、蓄光顔料、補色顔料等が挙げられる。また、着色剤として、染料を併用しても良い。染料については、直接染料、酸性染料、塩基性染料、含金染料、及び各種造塩タイプ染料等が採用可能である。これらの顔料および染料は、単独又は２種以上組み合わせて使用してもかまわない。含有量は、インキ組成物全量に対し、０．１〜２０質量％が好ましい。着色剤の種類としては、色の発色性や耐水性・耐光性を考慮して、顔料を用いることが好ましい。
【００２７】
さらに、顔料の平均粒子径については、白色顔料を含んでなる筆記具の白色顔料として酸化チタンを用いた場合、酸化チタンの平均粒子径をＡμｍ、前記他の筆記具の顔料の平均粒子径をＢμｍとした場合、Ａ／Ｂ＜３．０の関係であることが好ましい。これは、本発明のように、筆記具セットとして、予め記録媒体上に筆記した筆跡（下書き）を、酸化チタンを含んでなる筆記具で、なぞり書き（上書き）をする時に、酸化チタンは隠蔽性が高いため、下書きした筆跡が、隠蔽して見えづらくならないようにするためである。より考慮すれば、０．１＜Ａ／Ｂ＜２．０の関係であることが好ましく、さらに顔料の平均粒子径よりも、酸化チタンの平均粒子径が小さい方が（Ａ＜Ｂ）、下書きした筆跡が、隠蔽して見えづらくならないため、０．１＜Ａ／Ｂ＜１．０が好ましい。
【００２８】
また、本発明では、ボールペンとした場合、潤滑性を向上して、ボールの回転をスムーズにすることで、ボール座の摩耗抑制や書き味を向上しやすくするために、リン酸エステル系界面活性剤、脂肪酸を用いることが好ましい。特に、リン酸基を有するリン酸エステル系界面活性剤を用いることが、好ましい。これは、リン酸基が金属吸着することで、より潤滑性を向上して、ボール座の摩耗抑制や書き味を向上しやすくするためである。リン酸エステル系界面活性剤の種類としては、スチレン化フェノール系、ノニルフェノール系、ラウリルアルコール系、トリデシルアルコール系、オクチルフェノール系、ヘキサノール系等が上げられる。この中でも、フェニル骨格を有すると立体障害により潤滑性に影響が出やすいため、フェニル骨格を有さないリン酸エステル系界面活性剤を用いることが、好ましい。これらは、単独または２種以上混合して使用してもよい。
【００２９】
特に、本発明では白色顔料として、酸化チタンを用いる場合は、酸化チタンは、研磨剤としても用いられる材料でもあるため、筆記時にボールペンチップのボールとボール座の間に抵抗が生じ、ザラツキ感が発生し、書き味の劣化や筆跡にカスレ、線とびが発生しやすいため、より顕著にあらわれ、ひどい場合には、前記ボール座の摩耗が、著しくなり、筆記不良の原因になりえる。そのため、本発明では、リン酸エステル系界面活性剤、脂肪酸を用いると、より効果的である。
【００３０】
また、リン酸エステル系界面活性剤の具体例としては、プライサーフシリーズ（第一工業製薬（株））の中から、プライサーフＡ２１２Ｃ（トリデシルアルコール系）、同Ａ２０８Ｂ（ラウリルアルコール系）、同Ａ２１３Ｂ（ラウリルアルコール系）、同Ａ２０８Ｆ（短鎖アルコール系）、同Ａ２１５Ｃ（トリデシルアルコール系）、同Ａ２１９Ｂ（ラウリルアルコール系）等が挙げられる。また、脂肪酸の具体例としては、ＯＳソープ、ＮＳソープ、ＦＲ−１４、ＦＲ−２５（花王（株））等が挙げられる。これ等のリン酸エステル系界面活性剤、脂肪酸は、単独又は２種以上混合して使用してもよい。
【００３１】
また、本発明では、香りの持続性を保つため、特にボールペンとした場合、ボールとチップ先端の内壁との間の隙間より、香料、溶剤の揮発を抑制しやすくするために、デキストリンを用いることが好ましい、これは、デキストリンを用いることで、ペン先のインキが乾燥時に、皮膜を形成することで、ボールとチップ先端の内壁との間の隙間より、香料、溶剤の揮発を抑制する効果が得られためである。さらに、ボールとチップ先端の内壁との間の隙間より、インキ漏れ抑制しやすくする効果があるため好ましい。
特に、ノック式筆記具（ボールペン）や回転繰り出し式筆記具（ボールペン）等の出没式筆記具においては、キャップ式筆記具とは異なり、常時チップ先端が外部に露出した状態であるため、香料、溶剤が揮発しやすく、影響しやすいため、デキストリンを用いることが好ましい。
【００３２】
また、デキストリンの重量平均分子量については、５０００〜１２００００がより好ましい。これは、上記範囲であると、チップ先端に形成される皮膜によって、香料、溶剤が揮発を抑制しやすくし、さらにインキ漏れ抑制効果を得られやすい傾向があるためである。さらに、重量平均分子量が２００００以上であると、皮膜が強くなりやすい傾向があるため、重量平均分子量が、２００００〜１２００００とすることが好ましい。
【００３３】
デキストリンの含有量は、インキ組成物全量に対し、０．１〜５．０質量％が好ましい。これは、０．１質量％より少ないと、香料、溶剤の揮発を抑制や、インキ漏れ抑制の効果が十分得られない傾向があり、５．０質量％を越えると、インキ中で溶解しづらい傾向があるためである。よりインキ中の溶解性について考慮すれば、０．１〜３．０質量％が好ましく、よりインキ漏れについて考慮すれば、１．０〜３．０質量％が、好ましい。
【００３４】
また、水分の溶解安定性、水分蒸発乾燥防止等を考慮し、水溶性溶剤を用いることが好ましい。エチレングリコール、ジエチレングリコール、トリエチレングリコール、プロピレングリコール、ポリエチレングリコール、グリセリンなどの多価アルコール溶剤、メタノール、エタノール、１−プロパノール、２−プロパノール、イソプロパノール、イソブタノール、ｔ−ブタノール、アリルアルコール、３−メチル−１−ブチン−３−オール、エチレングリコールモノメチルエーテルアセタートやその他の高級アルコール等のアルコール系溶剤、エチレングリコールモノメチルエーテル、エチレングリコールモノエチルエーテル、３−メトキシブタノール、３−メトキシ−３−メチルブタノール等のグリコールエーテル系溶剤などが挙げられる。その中でも、本発明で用いる白色顔料、香料との溶解安定性を考慮すれば、多価アルコール溶剤を用いる方が好ましい。多価アルコール溶剤とは、二個以上の水酸基が脂肪族あるいは脂環式化合物の相異なる炭素原子に結合した化合物である溶剤であり、その中でも、２価または３価の水酸基を有する多価アルコールを少なくとも含有することが、最も好ましい。これらは、単独または２種以上混合して使用してもよい。
【００３５】
水溶性溶剤の含有量については、溶解性、インキ漏れ、にじみ等を考慮すると、インキ組成物全量に対し、０．１〜２５．０質量％が好ましく、より考慮すれば、５．０〜１５．０質量％が好ましい。
【００３６】
また、その他として、トリエタノールアミン等のｐＨ調整剤、尿素、ソルビット等の保湿剤、ベンゾトリアゾール等の防錆剤、１，２ベンゾイソチアゾリン−３−オン等の防菌剤、エチレンジアミン四酢酸等のキレート剤、リン酸エステル系界面活性剤以外のシリコーン系、アセチレングリコール系、フッ素系の界面活性剤等の濡れ性、耐水性の向上剤を添加することができる。また、定着剤や分散剤も適宜添加可能で、水溶性樹脂として、アクリル系樹脂、アルキッド樹脂、セルロース誘導体、ポリビニルピロリドン、ポリビニルアルコール等や、水中油滴型樹脂エマルジョンとして、アクリル系樹脂、ウレタン系樹脂、スチレン−ブタジエン系樹脂、ポリエステル系樹脂、酢酸ビニル系樹脂等を添加することができる。これらは、単独または２種以上混合して使用してもよい。
【００３７】
また、本発明に用いるボールペンチップのボールの縦軸方向の移動量が、２５μｍ〜５０μｍであることが好ましい。２５μｍ未満であると、インキ消費量が少なくなる傾向になり、所望の香りが得られづらく、５０μｍを越えると、インキ消費量が多過ぎる傾向になり、インキ追従性に影響が出やすいためである。より考慮すれば、３０μｍ〜４５μｍであることが好ましい。
【００３８】
また、インキ消費量については、１００ｍあたりのインキ消費量が８０〜５００ｍｇが好ましい、これは、１００ｍあたりのインキ消費量が８０ｍｇ未満だと、所望の香りが得られづらく、さらに色や香りも混ざりにくいためで、また、１００ｍあたりのインキ消費量が５００mgを越えると、筆記具セットとして、予め記録媒体上に筆記した筆跡（下書き）を、白色顔料を含んでなる筆記具で、なぞり書き（上書き）をする時に、下書きした筆跡が、隠蔽されて見えづらく、白色の筆跡になりやすく、さらにボールとチップ先端の間隙よりインキ漏れが発生しやすく、泣きボテも発生しやすいためである。さらに、より考慮すれば、１３０〜３５０ｍｇが好ましい。
なお、インキ消費量については、２０℃、筆記用紙ＪＩＳ  Ｐ３２０１筆記用紙上に筆記角度７０°、筆記荷重１００ｇの条件にて、筆記速度４ｍ／ｍｉｎの速度で、試験サンプル５本を用いて、らせん筆記試験を行い、その１００ｍあたりのインキ消費量の平均値を、１００ｍあたりのインキ消費量と定義する。
【００３９】
インキ収容筒の肉厚は、０．３〜２．０ｍｍ が好ましい、これは、０．３ｍｍ未満の肉厚だと、インキ中の香料、溶剤の揮発の抑制が十分ではないため、香りの持続性が劣りやすく、２．０ｍｍを越える肉厚にすると、外観色の視認性が得られにくいためである。
【００４０】
また、インキ追従体の基油としては、ポリブテン、シリコ−ン、鉱物油等の不揮発性物質を用いることが好ましいが、その中でも、基油として、ポリブテンを含んでなることが好ましい。これは、インキ中の香料、溶剤の揮発を抑制し、インキ増粘の影響が出づらいためであり、さらに、ポリブテンは、インキ収容筒としてポリプロピレンを使用する場合、ポリプロピレンとの親和性が強いため、よりインキ追従性も良好となりやすいためである。
（インキ配合）
【００４１】
次にインキ配合例を示して本発明を説明する。
インキ配合例１
酸化チタン分散体（平均粒子径０．２２μｍ、酸化チタン６７％含有）１５．０質量部
着色樹脂粒子（平均粒子径０．４μｍ、固形分４５％含有）          ２０．０質量部
香料                                                ２．０質量部
水                                                ４６．０質量部
溶剤（グリセリン）                                １０．０質量部
溶剤（エチレングリコール）                          ３．０質量部
デキストリン（重量平均分子量：１００,０００）       １．０質量部
ｐＨ調整剤（トリエタノールアミン）                  １．０質量部
潤滑剤（リン酸エステル系界面活性剤）                １．０質量部
防錆剤（ベンゾトリアゾール）                        １．０質量部
剪断減粘性付与剤（サクシノグリカン）                ０．３質量部
【００４２】
まず、酸化チタン（Ｃ．Ｉ．ピグメントホワイト６）、水、溶剤、分散剤（界面活性剤）を適量採取し、分散機を使用し、充分に分散した後、遠心分離を行い、粗大分を除去して酸化チタン分散体を得る。その後、作製した酸化チタン分散体、着色樹脂粒子、香料、水、溶剤、デキストリン、潤滑剤、ｐＨ調整剤、防錆剤をマグネットホットスターラーで加温撹拌等してベースインキを作成した。
【００４３】
その後、上記作製したベースインキを加温しながら、剪断減粘性付与剤を投入してホモジナイザー攪拌機を用いて均一な状態となるまで充分に混合攪拌して、インキ配合例１の水性インキ組成物を得た。
尚、インキ配合例１のインキ粘度は、ブルックフィールド社製ＤＶ−ＩＩ粘度計（ＣＰＥ−４２ローター）を用いて２０℃の環境下で、剪断速度１．９２ｓｅｃ−１（回転数０．５ｒｐｍ）の条件にてインキ粘度を測定したところ、２８００ｍＰａ・ｓであった。
【００４４】
インキ配合例２〜８
インキ配合を表に示すように変更した以外は、インキ配合例１と同様な手順でインキ配合例２〜８の水性インキ組成物を得た。表に、インキ配合例を示す。
【表１】
0006625439.tif 000002
【００４５】
インキ配合例１〜８で作製した水性インキ組成物及びグリース状のインキ追従体（基油としてポリブテンを含有）を、インキ収容筒の先端にボール径が０．７ｍｍのボールを回転自在に抱持したボールペンチップ（ボールペンチップのボールの、縦軸方向への移動量４０μｍ）をチップホルダーに介して具備した肉厚０．５ｍｍであるインキ収容筒内（ポリプロピレン製）に充填したレフィル（１．０ｇ）を（株）パイロットコーポレーション製のゲルインキボールペン（商品名：Ｇ−ｋｎｏｃｋ）に装着して、８種類の筆記具Ａ〜Ｇを作成した。
（筆記具セット）
【００４６】
表に示したように、以下の８種類の筆記具Ａ〜Ｈを作成し、この中から、異なる色および香りの筆記具Ａ〜Ｆを選択し、ケース内に収容して、少なくとも一本がインキ組成物に白色顔料を含んでなる筆記具を収容した筆記具セットとした。
筆記具Ａ、Ｇ、Ｈは、白色顔料を含んでなる筆記具、インキ色：白色、香り：ミルク
筆記具Ｂは、インキ色：ブラウン色、香り：コーヒー
筆記具Ｃは、インキ色：ピンク色、香り：イチゴ
筆記具Ｄは、インキ色：緑色、香り：抹茶
筆記具Ｅは、インキ色：水色、香り：ソーダ
筆記具Ｆは、インキ色：黄色、香り：マンゴー
【００４７】
筆記具Ｂを筆記試験用紙に予め筆記した筆跡に、筆記具Ａでなぞり書きすると、カフェオレ（コーヒーミルク）の色、香りになり、筆跡の色を変化させるだけではなく、香りも変化することができた。さらに、筆跡の色から想像できるカフェオレ（コーヒーミルク）の香りとして、楽しむこともできた。
同様に、筆記具Ｃと筆記具Ａを用いて、筆跡の色、香りを変化させ、イチゴミルクの色、香りとなった。
同様に、筆記具Ｄと筆記具Ａを用いて、筆跡の色、香りを変化させ、抹茶ミルクの色、香りとなった。
同様に、筆記具Ｅと筆記具Ａを用いて、筆跡の色、香りを変化させ、ソーダミルクの色、香りとなった。
同様に、筆記具Ｆと筆記具Ａを用いて、筆跡の色、香りを変化させ、マンゴーミルクの色、香りとなった。
このように、香り付きの筆記具を色々と組み合わせることで、多種の色や香りを楽しむことができる筆記具セットとすることができた。
また、上記のように、２種類の筆記具の色、香りを混ぜ合わせるだけでなく、３種類以上の筆記具の色、香りを混ぜ合わせても良い。
尚、筆記試験用紙としてＪＩＳ  Ｐ３２０１  筆記用紙Ａを用いて試験を行った。
【００４８】
筆記具Ａ、Ｇを用いて以下の条件にて、耐摩耗試験を行った結果、筆記具Ａの方が、ボール座の摩耗が少なく、良好な筆跡であった。そのため、フェニル骨格を有さないリン酸エステル系界面活性剤を用いる方が、良好な筆跡が得られた。
耐摩耗試験：荷重１００ｇｆ、筆記角度６５°、４ｍ／ｍｉｎの走行試験機にて筆記試験後のボール座の摩耗を測定した。
【００４９】
筆記具Ａ、Ｇ、Ｈは、黒色用紙に筆記したところ、酸化チタンを用いた筆記具Ａ、Ｇの方が隠蔽性のある白色の筆跡になり、酸化チタンを用いた方が良好な効果が得られた。
【００５０】
また、本発明の筆記具セットに用いるケースには、樹脂、金属、紙等の材料を適宜選択して用いることができる。また、筆記具の外観色の視認性が良いため、透明又は半透明のケースを用いる方が好ましい。
【００５１】
本発明では、インキ組成物に香料を含んでおり、香料、溶剤の揮発を抑制するためには、ボールペンチップ先端に回転自在に抱持したボールを、コイルスプリングにより直接又は押圧体を介してチップ先端縁の内壁に押圧して、筆記時の押圧力によりチップ先端縁の内壁とボールに間隙を与えインキを流出させる弁機構を具備し、チップ先端の微少な間隙も非使用時に閉鎖することが好ましい。さらに、インキ漏れ抑制の効果が得られやすいため、より効果的である。
【産業上の利用可能性】
【００５２】
本発明は、香り付きの筆記具をケース内に複数本収容した筆記具セットとして利用でき、さらに詳細としては、香り付きの筆記具を色々と組み合わせることで、多種の色や香りを楽しむことができる筆記具セットとして、広く利用することができる。